(57)【特許請求の範囲】
【請求項１】
放熱ベースと前記放熱ベースの底面に形成された複数の放熱フィンを含むヒートシンクと、
前記放熱ベース上に位置する半導体光素子と、
前記半導体光素子を覆うように前記ヒートシンクの上段に結合される光学カバーとを含み、
前記放熱ベースには前記放熱フィンの上段部を露出させる空気流動ホールが形成され、
前記放熱フィンは、前記空気流動ホールを通じて前記放熱ベースの上面以上の高さに延長された上向延長部を一体に含むことを特徴とする光半導体照明装置。
【請求項２】
放熱ベースと前記放熱ベースの底面に形成された複数の放熱フィンを含むヒートシンクと、
前記放熱ベース上に位置する半導体光素子と、
前記半導体光素子を覆うように前記ヒートシンクの上段に結合される光学カバーとを含み、
前記放熱ベースには前記放熱フィンの上段部を露出させる空気流動ホールが形成され、
前記放熱ベースは、前記空気流動ホールの周囲に沿って突出形成された隔壁を含むことを特徴とする光半導体照明装置。
【請求項３】
放熱ベースと前記放熱ベースの底面に形成された複数の放熱フィンを含むヒートシンクと、
前記放熱ベース上に位置する半導体光素子と、
前記半導体光素子を覆うように前記ヒートシンクの上段に結合される光学カバーとを含み、
前記放熱ベースには前記放熱フィンの上段部を露出させる空気流動ホールが形成され、
前記光学カバーには前記空気流動ホール及び前記放熱フィンを露出させる開口部が形成され、
前記放熱ベースは、前記空気流動ホールの周囲に沿って突出形成された隔壁を含み、前記隔壁は前記光学カバーの開口部に嵌められることを特徴とする光半導体照明装置。
【請求項４】
放熱ベースと前記放熱ベースの底面に形成された複数の放熱フィンを含むヒートシンクと、
前記放熱ベース上に位置する半導体光素子と、
前記半導体光素子を覆うように前記ヒートシンクの上段に結合される光学カバーとを含み、
前記放熱ベースには前記放熱フィンの上段部を露出させる空気流動ホールが形成され、
前記複数の放熱フィン各々は、前記空気流動ホールを通じて前記放熱ベースの上面より高く延長された上向延長部を一体に含み、前記空気流動ホールの周囲に沿って隔壁が突出形成され、前記上向延長部の両側端が前記隔壁に接続されていることを特徴とする光半導体照明装置。
【請求項５】
前記放熱ベースは、前記空気流動ホールの周辺に回路基板が配置される領域を含み、前記回路基板上には前記半導体光素子が複数個で実装されていることを特徴とする請求項１乃至請求項４のいずれかに記載の光半導体照明装置。
【請求項６】
前記光学カバーは、前記半導体光素子に対応するように形成されたレンズ部を含むことを特徴とする請求項１乃至請求項５のいずれかに記載の光半導体照明装置。
【請求項７】
前記放熱ベースは、相互対向する両側面各々に設けられたメスコネクタとオスコネクタとを含み、前記メスコネクタと前記オスコネクタとの少なくとも一つは前記放熱ベースと隣り合う放熱ベースのメスコネクタ又はオスコネクタに接続することを特徴とする請求項１乃至請求項６のいずれかに記載の光半導体照明装置。
【請求項８】
前記放熱ベースは幅と長さを有し、前記空気流動ホールは前記放熱ベースの中央に長さ方向に非常に長く形成され、前記放熱ベースの上面には前記空気流動ホールを介して一対の非常に長い長さ方向領域が提供され、前記半導体光素子が複数個で実装されている回路基板が前記長さ方向領域に配置されるように搭載されることを特徴とする請求項１乃至請求項７のいずれかに記載の光半導体照明装置。
【請求項９】
前記複数の放熱フィンと前記上向延長部は、前記空気流動ホールを複数個のセル（ｃｅｌｌ）型孔で区画することを特徴とする請求項４に記載の光半導体照明装置。
【発明の詳細な説明】
【技術分野】
【０００１】
本発明は、光半導体照明装置に関する。
【背景技術】
【０００２】
ＬＥＤのような光半導体は、白熱灯や蛍光灯に比べて電力の消耗量が少ないと共に、使用寿命が長く、且つ耐久性にも優れることは勿論、遥かに高い輝度によって、近年では照明用として広く脚光を浴びている部品の一つである。
【０００３】
特に、前述の種類の光半導体は、アルゴンガスと共に、人体に有害な水銀をガラス管に注入して製作される蛍光灯及び水銀灯のような製品に比べて環境に有害な物質を使用しないため、環境親和的な製品の生産が可能にするものである。
【０００４】
このような光半導体を利用した照明器具は、近年、ライトエンジン（ｌｉｇｈｔ  ｅｎｇｉｎｅ）の概念的な面で活発に開発および研究されている。
【０００５】
特に、このような光半導体を光源として使用した照明装置は、近年、室外の景観照明用や保安用等としても活用されているため、製品の組立てや施工が便利でなければならなく、大気中に露出されて使用される製品であるだけに防水性の維持もまた重要な要の一つと言える。
【０００６】
上のような従来の発光モジュールは、可能な限り小数の半導体光素子を利用しながらも、広く均一な照明光を得ることが要求される。
【０００７】
よって、従来の発光モジュールは、半導体光素子から出た光を広く拡散させて送り出す拡散レンズを採択している。
【０００８】
拡散レンズの利用にもかかわらず、拡散レンズ間には相対的に暗い領域が発生する可能性が多い。
【０００９】
その上、半導体光素子から出た光が光学カバーを過ぎる前にヒートシンクからの突出物に吸収されて損失される恐れがある。
【００１０】
一方、ヒートシンクを含む一つ以上の発光モジュールがハウジング構造物に組み立てられてなる照明装置を考慮することもできる。
【００１１】
発光モジュールは、背面部に複数の放熱フィンを有するヒートシンクの前面に印刷回路基板（Ｐｒｉｎｔｅｄ  Ｃｉｒｃｕｉｔ  Ｂｏａｒｄ；ＰＣＢ）が提供されて該印刷回路基板上に光半導体を備えた半導体光素子が実装され、複数の光素子各々を覆うように複数のレンズが配置される。
【００１２】
ここで光学カバーは、印刷回路基板の上面と半導体光素子とレンズを覆うようにヒートシンクの正面に組み立てられる。
【００１３】
このような従来の発光モジュールを製造するためには、複数個のレンズを半導体光素子に対応するように配置させる煩わしい工程が必要となる。
【００１４】
また、半導体光素子から出た光がレンズを通過した後、光学カバーを再度通過しなけれ
ばならないため、これによる光損失が生じ得る。
【００１５】
また、光学カバーとヒートシンク間の隙間を通じて水分またはその他異物が浸透する恐れが多くあった。
【００１６】
一方、一つの照明装置に前述のような発光モジュールが複数個適用されることもある。
【００１７】
ここで、電源供給装置からの主電力線から複数の発光モジュールに電力を供給するためには、複雑な配線が要求される。
【００１８】
このとき、このような複雑な配線は、製造単価を上昇させ、前述の配線を接続する工程が複雑で作業性を劣らせる。
【００１９】
そして従来の照明装置は、複雑な配線で接続されている複数の発光モジュール中の一つの発光モジュールを個別的に分離し難いため、発光モジュールの交換、補修及び維持が難しいという短所があった。
【００２０】
一方、既存のライトエンジンは、ヒートシンクがＬＥＤ等の半導体光素子を含む発光モジュールの上側に配置されるため、大部分が、自然対流を利用した冷却効果を図り難い構造を有している。
【００２１】
特に、現在このような光半導体を利用したライトエンジンの場合、アウトドア用製品では上のような冷却効果を図るための製品の開発が殆ど行われていなかった。
【先行技術文献】
【特許文献】
【００２２】
【特許文献１】韓国公開特許第１０−２００６−００６７０３０号公報
【特許文献２】韓国公開特許第１０−２０１０−０１１１３５４号公報
【特許文献３】韓国公開特許第１０−２０１０−０１１８４０１号公報
【特許文献４】韓国登録特許第１０−０９６７９４６号公報
【特許文献５】韓国登録特許第１０−１１３３７５０号公報
【発明の概要】
【発明が解決しようとする課題】
【００２３】
本発明は、前記のような問題点を改善するために発明されたものであり、点検及び補修の便宜を図り、分離及び締結が簡便なのは勿論、防水性及び耐久性に優れた構造の光半導体照明装置を提供するためのものである。
【００２４】
そして、本発明はレンズが統合された光学カバーを利用して光の損失あるいは暗い領域の発生を最小化させ、広く均一な照明光を提供できる改善された構造の発光モジュールを提供するためのものである。
【００２５】
そして、本発明は水密等の目的でヒートシンクから突出した突出物が半導体光素子、更には光半導体チップから出た光を吸収して生じ得る光損失を最小化できる改善された構造の発光モジュールを提供するためのものである。
【００２６】
そして、本発明はヒートシンクを上下に貫通する方向に空気流動路をさらに確保して放熱特性をより向上させた改善された構造の発光モジュールを提供するためのものである。
【００２７】
そして、本発明は複数個の発光モジュールを含む照明装置において、発光モジュール間
の容易且つ信頼性のある電気接続構造を提供するためのものである。
【００２８】
また、本発明は放熱面積を増加させて放熱効率をより向上させ、自然対流による冷却効率もまた向上させることができる光半導体照明装置を提供するためのものである。
【課題を解決するための手段】
【００２９】
前記のような目的を達成するために、本発明は放熱ベースと前記放熱ベースの底面に形成された複数の放熱フィンを含むヒートシンクと、前記放熱ベース上に位置する半導体光素子と、前記半導体光素子を覆うように前記ヒートシンクの上段に結合される光学カバーとを含み、前記放熱ベースには前記放熱フィンの上段部を露出させる空気流動ホールが形成されることを特徴とする光半導体照明装置を提供できる。
【００３０】
ここで、前記光学カバーには前記空気流動ホール及び前記放熱フィンを露出させる開口部が形成されていてもよい。
【００３１】
このとき、前記放熱ベースは、前記空気流動ホールの周辺に回路基板が配置される領域を含み、前記回路基板上には前記半導体光素子が複数個で実装されていてもよい。
【００３２】
そして、前記放熱フィンは、前記空気流動ホールを通じて前記放熱ベースの上面以上の高さに延長された上向延長部を一体に含んでいてもよい。
【００３３】
そして、前記放熱ベースは、前記空気流動ホールの周囲に沿って突出形成された隔壁を含んでいてもよい。
【００３４】
そして、前記放熱ベースは、前記空気流動ホールの周囲に沿って突出形成された隔壁を含み、前記隔壁は前記光学カバーの開口部に嵌められていてもよい。
【００３５】
そして、前記複数の放熱フィン各々は、前記空気流動ホールを通じて前記放熱ベースの上面より高く延長された上向延長部を一体に含み、前記空気流動ホールの周囲に沿って隔壁が突出形成され、前記上向延長部の両側端が前記隔壁に接続されていてもよい。
【００３６】
そして、前記光学カバーは、前記開口部の周囲に沿って形成され下方に延長された内部壁を含み、前記内部壁が前記空気流動ホールの上部に挿入されていてもよい。
【００３７】
そして、前記光学カバーは、前記半導体光素子に対応するように形成されたレンズ部を含んでいてもよい。
【００３８】
そして、前記放熱ベースは、相互対向する両側面各々に設けられたメスコネクタとオスコネクタとを含み、前記メスコネクタと前記オスコネクタとの少なくとも一つは前記放熱ベースと隣り合う放熱ベースのメスコネクタ又はオスコネクタに接続されていてもよい。
【００３９】
そして、前記放熱ベースは幅と長さを有し、前記空気流動ホールは前記放熱ベースの中央に長さ方向に非常に長く形成され、前記放熱ベースの上面には前記空気流動ホールを介して一対の非常に長い長さ方向領域が提供され、前記半導体光素子が複数個で実装されている回路基板が前記長さ方向領域に配置されるように搭載されていてもよい。
【００４０】
そして、前記複数の放熱フィンと前記上向延長部は、前記空気流動ホールを複数個のセル（ｃｅｌｌ）型孔で区画していてもよい。
【００４１】
一方、本発明は放熱ベースを含むヒートシンクと、前記放熱ベース上に搭載されている
少なくとも一つの回路基板と、前記回路基板上に実装されている複数の半導体光素子と、前記半導体光素子を覆うように配置されている光学カバーとを含み、前記放熱ベースには空気流動ホールが形成されていることを特徴とする光半導体照明装置を提供できる。
【００４２】
ここで、前記光学カバーは、前記空気流動ホールに対応する開口部を含んでいてもよい。
【００４３】
このとき、前記放熱ベースは、前記空気流動ホールの周囲に沿って突出形成された隔壁を含んでいてもよい。
【００４４】
そして、前記隔壁が前記光学カバーの開口部に嵌められていてもよい。
【００４５】
そして、前記光学カバーは、前記開口部の周囲に沿って形成され下方に延長された内部壁を含み、前記内部壁が前記空気流動ホールの上部に挿入されていてもよい。
【００４６】
一方、本発明は第１の発光モジュールと、前記第１の発光モジュールと隣接して配置される第２の発光モジュールとを含み、前記第１の発光モジュールの一側面にはメスコネクタが設けられ、前記第１の発光モジュールの一側面と向かい合う前記第２の発光モジュールが、他側面には前記メスコネクタに挿入接続されるオスコネクタが設けられたことを特徴とする光半導体照明装置を提供することもできる。
【００４７】
また、本発明は少なくとも一つ以上の半導体光素子を含む発光モジュールと、前記発光モジュールに形成される複数の放熱フィンを含むヒートシンクと、前記放熱フィンと隣接した放熱フィン間の空間に形成されるエアー流通路とを含むことを特徴とする光半導体照明装置を提供することもできることは勿論である。
【００４８】
ここで、前記ヒートシンクは、前記発光モジュールと結合される放熱ベースと、前記放熱ベースから延長される複数の放熱フィンとを含んでいてもよい。
【００４９】
このとき、前記ヒートシンクは前記放熱フィンと隣接した放熱フィンとの間の空間と、前記放熱ベースとの間にエアー流通路が形成されていてもよい。
【００５０】
そして、前記ヒートシンクは、前記発光モジュールの長さ方向に沿って配置される複数の放熱フィンと、前記放熱フィン各々の一側とを相互に接続し、前記発光モジュールが形成される放熱ベースとを含んでいてもよい。
【００５１】
そして、前記光半導体照明装置は、前記ヒートシンクの少なくとも一側に配置されて前記発光モジュールと電気的に接続されるサービスユニットをさらに含んでいてもよい。
【００５２】
そして、前記ヒートシンクは、前記放熱ベースの一側から延長され、前記放熱ベースと前記放熱フィンの接続部から離隔されたリップと、前記リップの長さ方向に沿って貫通するエアースロットとをさらに含むことを特徴とする。
【００５３】
そして、前記ヒートシンクは、前記放熱ベースが配置された前記放熱フィンの端と向かい合う端は、一側から他側に傾斜するように形成され、前記放熱ベースは前記放熱フィン各々の一側と接するように配置されていてもよい。
【００５４】
そして、前記ヒートシンクは、前記放熱ベースと接続された前記放熱フィンの端と向かい合う端から延長されて前記複数の放熱フィン全部を相互に接続する補強リブをさらに含んでいてもよい。
【００５５】
そして、前記エアー流通路は、前記放熱フィン各々の端一側において前記放熱ベースの一側付近の入口と、前記放熱ベースが配置された前記放熱フィンの端と向かい合う端の端部に備えられている出口とを含んでいてもよい。
【００５６】
そして、前記ヒートシンクは、前記放熱ベースが配置されている前記放熱フィンの端と向かい合う端から続く端まで、前記複数の放熱フィンを覆うエアーバッフル（Ａｉｒ  ｂａｆｆｌｅ）を更に備えていてもよい。
【００５７】
そして、前記サービスユニットは、前記ヒートシンク両端部に形成されるユニット本体と、前記ユニット本体に形成されるコネクタとを含んでいてもよい。
【００５８】
そして、前記サービスユニットは、前記ヒートシンク両端部に形成されるユニット本体と、前記ユニット本体に形成される駆動印刷回路基板とを含んでいてもよい。
【００５９】
そして、前記サービスユニットは、前記ヒートシンク両端部に形成されるユニット本体と、前記ユニット本体に形成される充放電器とを含んでいてもよい。
【００６０】
なお、特許請求の範囲及び詳細な説明に記載されている「半導体光素子」は、光半導体を含み、これを利用する発光ダイオードチップ等のようなものを意味する。
【００６１】
このような「半導体光素子」は、前述の発光ダイオードチップを含む多様な種類の光半導体を内部に含むパッケージレベルのものを含むと言える。
【発明の効果】
【００６２】
前記のような構成の本発明によると、次のような効果を図ることができる。
【００６３】
先ず、本発明は複数に分離されて着脱結合が可能で、半導体光素子を含む発光モジュールを覆うハウジングを含む構造から分離及び締結が簡便に行われることは勿論、耐久性の向上を図ることができる。
【００６４】
そして、本発明はハウジングを構成する各部品が分離される構造のため、故障や異常発生時にすぐに対処でき、作業者の点検及び補修による便宜を図ることができる。
【００６５】
そして、本発明は光学カバーとヒートシンク部との間にシール部材を装着して防水性及び機密性の維持が可能である。
【００６６】
そして、本発明は、光学カバー、半導体光素子及び印刷回路基板等が放熱部材及び／又はハウジング部によって改善された構造で統合されたまま、照明装置の一領域に信頼性を有するように、そしてコンパクトな構造で配置できる。
【００６７】
そして、本発明は発光モジュールが照明装置に適用される際、その発光モジュールの光学カバーがレンズ部を統合的に含み、該レンズが統合された光学カバーによって、光の損失あるいは暗い領域の発生を最小化でき、広く均一な照明光を発する照明装置を実現できる。
【００６８】
そして、本発明はヒートシンクから突出された突出物が、半導体光素子、さらには光半導体チップから出た光を吸収して生じ得る光損失を最小化できる。
【００６９】
そして、本発明は発光モジュールのヒートシンクと光学カバー間に生じ得る隙間を塞ぎ
、水分またはその他異物の浸透による誤作動または故障の危険性を大幅に減らすことができる。
【００７０】
そして、本発明によると、半導体光素子が配置されるヒートシンクの放熱ベースに空気を流動させる空気流動ホールが形成されることにより、ヒートシンクの特定領域、特に、放熱ベースの中央領域の放熱特性を高くし、熱の累積によって半導体光素子が損傷されることを防ぐことができる。
【００７１】
特に、ヒートシンクに半導体光素子を覆う光学カバーが設けられる際、光学カバーに形成された開口部が前記空気流動ホール及び放熱フィンを露出させるため、発光モジュールの放熱特性をより向上させることができる。
【００７２】
また、複数の発光モジュールが一つの照明装置に適用される際、隣り合う発光モジュールの向かい合う側面にメスコネクタとオスコネクタを備えることにより、発光モジュール間の容易且つ信頼性のある電気接続構造を実現でき、発光モジュール間の配線の接続に必要な複雑且つ煩わしい工程をなくして作業性を高めることができる。
【００７３】
特に、照明装置に含まれている複数個の発光モジュール中の一つの発光モジュールに問題が生じた場合、該発光モジュールを交換または補修することが容易になる。
【００７４】
また、従来は複数の発光モジュールを一つの照明装置に設置する際、発光モジュールから発生する熱の問題により十分な離隔距離を有するようにしていたが、本発明によると、発光モジュール各々の前述の空気流動ホールによって放熱性能が十分に向上するため、複数の発光モジュールをオスコネクタとメスコネクタの接続構造によって隣接配置しても問題視されない。
【００７５】
よって、空気流動ホールは、発光モジュールの放熱特性を向上させ、複数の発光モジュール間の離隔距離を減らすことにも寄与する。
【００７６】
そして、本発明は発光モジュールの長さ方向に沿って多様な構造のエアー流通路を形成するヒートシンクを配置して電熱面積を増やしながら放熱効率を高めるのは勿論、自然対流もまた誘導して冷却性能を向上させることができる。
【００７７】
また、本発明はヒートシンクの両端部に多様な実施例によるサービスユニットをそれぞれ配置して、設置場所及び環境によって多様な駆動メカニズムによる照明装置を提供できるようになる。
【図面の簡単な説明】
【００７８】
【図１】本発明の一実施例にかかる光半導体照明装置の全体的な構造を示した一部切開斜視図である。
【図２】本発明の一実施例にかかる光半導体照明装置の主要部であるハウジングから発光モジュールが分離される状態を示した分解斜視図である。
【図３】本発明の一実施例にかかる光半導体照明装置の主要部である発光モジュールの全体的な構造を示した分解斜視図である。
【図４】本発明の一実施例にかかる光半導体照明装置の主要部である発光モジュールの光学カバーを示した斜視図である。
【図５】多様な実施例にかかる光学プレートの部分断面概念図である。
【図６】多様な実施例にかかる光学プレートの部分断面概念図である。
【図７】多様な実施例にかかる光学プレートの部分断面概念図である。
【図８】本発明の一実施例にかかる光半導体照明装置の分離過程を示した斜視図である。
【図９】本発明の一実施例にかかる光半導体照明装置の分離過程を示した斜視図である。
【図１０】本発明の一実施例によってカバーを分離する過程を説明するための図面である。
【図１１】本発明の一実施例によってカバーを分離する過程を説明するための図面である。
【図１２】本発明の一実施例にかかる発光モジュールを示した分解斜視図である。
【図１３】本発明の一実施例にかかる発光モジュールを示した結合斜視図である。
【図１４】図１２及び図１３に示された光学カバーを示した斜視図である。
【図１５】図１２及び図１３に示された発光モジュールの前方面を、光学カバーが省略された状態で示した平面図である。
【図１６】図１５のＩ−Ｉに沿って切断された発光モジュールの断面図であり、光学カバーを結合して併せて図示した断面図である。
【図１７】図１６に示された発光モジュールの構造と同一だが、他の種類の半導体光素子が適用された場合を示した断面図である。
【図１８】レンズ部の形状が異なる多様な実施形態の光学カバーを説明するための断面図である。
【図１９】レンズ部の形状が異なる多様な実施形態の光学カバーを説明するための断面図である。
【図２０】レンズ部の形状が異なる多様な実施形態の光学カバーを説明するための断面図である。
【図２１】チューブタイプ又は蛍光灯型照明装置に適用された発光モジュールを説明するための断面図である。
【図２２】工場灯型照明装置に適用された発光モジュールを説明するための断面図である。
【図２３】本発明の他の実施例にかかる発光モジュールを示した斜視図である。
【図２４】図２３に示された発光モジュールの分解斜視図である。
【図２５】図２３及び図２４に示された発光モジュールの底面図である。
【図２６】図１のＩ−Ｉに沿って切断された発光モジュールの断面図である。
【図２７】本発明の他の実施例によって複数の発光モジュール間を電気接続する構造を説明するための図面である。
【図２８】本発明のまた別の実施例にかかる発光モジュールを説明するための分解斜視図である。
【図２９】本発明の他の実施例にかかる光半導体照明装置の外観を示した斜視図である。
【図３０】本発明の他の実施例にかかる光半導体照明装置の外観を示した斜視図である。
【図３１】図２９の光半導体照明装置をＢ方向に見た概念図である。
【図３２】本発明の多様な実施例にかかる光半導体照明装置の外観を示した斜視図である。
【図３３】本発明の多様な実施例にかかる光半導体照明装置の外観を示した斜視図である。
【図３４】図３３の光半導体照明装置をＣ方向から見た概念図である。
【図３５】本発明のその他の実施例にかかる光半導体照明装置の主要部であるサービスユニットを示した図面である。
【発明を実施するための形態】
【００７９】
以下、添付の図面を参考に本発明の好ましい実施例について説明する。
【００８０】
図１は本発明の一実施例にかかる光半導体照明装置の全体的な構造を示した一部切開斜視図で、図２は本発明の一実施例にかかる光半導体照明装置の主要部であるハウジングから発光モジュールが分離される状態を示した分解斜視図である。
【００８１】
本発明は、図示したように、半導体光素子１５０が配置されるヒートシンク１１０に結合される光学カバー１２０からなる発光モジュール１００が装着されるハウジング２００を含む構造であることが分かる。
【００８２】
図１において未説明の符号１４０は、印刷回路基板を示す。
【００８３】
ハウジング２００は、図２のように支持フレーム２２０の両側とそれぞれ結合される外郭フレーム２１０に内蔵された固定プレート２３０間に発光モジュール１００が少なくとも一つ以上配置される構造である。
【００８４】
本発明は、前記のような実施例の適用が可能で、次のような多様な実施例の適用もまた可能であることは勿論である。
【００８５】
参考までに、図３は本発明の一実施例にかかる光半導体照明装置の主要部である発光モジュールの全体的な構造を示した分解斜視図で、図４は本発明の一実施例にかかる光半導体照明装置の主要部である発光モジュールの光学カバーを示した斜視図で、図５〜図７は多様な実施例にかかる光学プレートの部分断面概念図である。
【００８６】
発光モジュール１００は、前述の通り半導体光素子１５０を含むものであり、ヒートシンク１１０に光学カバー１２０が結合された構造であることが分かる。
【００８７】
ヒートシンク１１０は、半導体光素子１５０が配置され、ハウジング２００の内側面下部側に配置されて半導体光素子１５０から発生する熱を排出させるためのものであり、光学カバー１２０はヒートシンク１１０の端に沿って引掛り固定されるものであり、半導体光素子１５０を保護し光拡散機能もまた追加的に行うことができる。
【００８８】
ハウジング２００は、図示したように、発光モジュール１００を覆うものであり、支持フレーム２２０の両側にそれぞれ装着された外郭フレーム２１０に内蔵された固定プレート２３０間に発光モジュール１００が少なくとも一つ以上配置される構造である。
【００８９】
外郭フレーム２１０は発光モジュール１００を覆うもので、支持フレーム２２０は外郭フレーム２１０が結合されて外部電源と接続されるもので、固定プレート２３０は外郭フレーム２１０に内蔵されて発光モジュール１００の両側端をそれぞれ固定する部材である。
【００９０】
ここで、固定プレート２３０には電熱面積を最大限増加させてハウジング２００内部の放熱性能をより高めることができるように多数のホール２３１を貫通することもできることは勿論である。
【００９１】
一方、発光モジュール１００のヒートシンク１１０に関して図３及び図４を参考してより詳しく見てみると、放熱ベース１１９上に放熱フィン１１８が突出され、放熱ベース１１９に形成された溝１１６に光学カバー１２０の端が配置され、締結スリット１１７は光学カバー１２０の端、つまり、後述のフック部１２８が引掛り固定される構造であることが分かる。
【００９２】
放熱ベース１１９は、半導体光素子１５０が配置される面積を提供するものであり、半
導体光素子１５０は支持フレーム２２０を通じて外部電源と電気的に接続される。
【００９３】
放熱フィン１１８は、放熱ベース１１９から複数突出して電熱面積を増加させることにより放熱効果を図るための部材であると言える。
【００９４】
放熱フィン１１８は、図示したように、単純な平板形状のものを等間隔で配置する構造以外に、多様な形状のものを多様なパターンで放熱ベース１１９上に配置する等の応用及び変形設計は当業者に自明なもののため、追加的な説明は省略する。
【００９５】
溝１１６は、放熱ベース１１９上に光学カバー１２０の端と対応する形状で突出する引掛り突起１１５の長さ方向に沿って光学カバー１２０の端が配置する部分である。
【００９６】
締結スリット１１７は、引掛り突起１１５の外側に等間隔で形成され、光学カバー１２０の端が引掛り固定される部分である。
【００９７】
一方、光学カバー１２０は、透光性カバー板１２１を含み、透光性カバー板１２１はヒートシンク１１０に配置されたエッジ部１２４と、エッジ部１２４に沿って形成された切欠部１２６と、切欠部１２６から突出し締結スリット１１７に引掛り固定されるフック部１２８を含む。
【００９８】
透光性カバー板１２１は、半導体光素子１５０に対応するレンズ部１２２が備えられたものであり、半導体光素子１５０の保護と共に半導体光素子１５０から光が照射する面積を増減させるための目的で備えられた部材である。
【００９９】
エッジ部１２４は、透光性カバー板１２１上にヒートシンク１１０の端に対応する形状で突出し、ヒートシンク１１０の溝１１６に配置されて光学カバー１２０をヒートシンク１１０に固定させる役割をする部材である。
【０１００】
切欠部１２６は、エッジ部１２４の長さ方向に沿って等間隔で透光性カバー板１２１まで切開された部分であり、フック部１２８が形成される空間を提供する。
【０１０１】
フック部１２８は、透光性カバー板１２１から突出して切欠部１２６に配置され、ヒートシンク１１０の端に沿って複数貫通される締結スリット１１７に着脱結合するものである。
【０１０２】
ここで、フック部１２８と締結スリット１１７の設置箇所と設置個数は、光半導体照明装置が適用される環境に応じて多様に変更でき、通常、フック部１２８を４５ｍｍの間隔で形成し、透光性カバー板１２１の長さ方向に沿って両側にそれぞれ６個ずつ計１２個のフック部１２８を図示したように形成すると、室外に設置される保安灯や街灯は防塵防水等級（好ましくはＩＰ６５以上）に要求される事項を満たすことができた。
【０１０３】
また、ヒートシンク１１０は機密維持と防水性維持のために溝１１６と光学カバー１２０間にシール部材１３０が介在することが好ましい。
【０１０４】
一方、光学カバー１２０は輝度及び光の照射面積の増減のために透光性カバー板１２１の表面に光拡散塗料（以下未図示）が塗布されるようにしたり、光拡散フィルム（以下未図示）を付着させたり、或いは透光性カバー板１２１自体を光拡散物質１２５が混合された透明又は半透明の合成樹脂からなるようにする等の実施例を適用できる。
【０１０５】
ここで、光拡散塗料は、ＰＭＭＡ又はシリコン等のような有機粒子ビーズ（ｂｅａｄ）
を含むものを使用できる。
【０１０６】
また、光学カバー１２０は特に図示していないが、半導体光素子１５０と透光性カバー板１２１との間に配置されて半導体光素子１５０から照射される光を乱反射させる色光プレートをさらに装着する実施例の適用もまた可能であることは勿論である。
【０１０７】
一方、レンズ部１２２は光拡散効果を図ることができるように図５のような凸レンズ又は凹レンズ（以下未図示）を適用できる。
【０１０８】
そして、レンズ部１２２’は光拡散効果を図るために図６のように少なくとも二つ以上の楕円球を、光学カバー１２０、つまり透光性カバー板１２１に対して傾斜するように重ねて配置された形状に製作することもでき、レンズ１２２”は図７のように多面体の形状に製作する等の多様な変形及び応用が可能である。
【０１０９】
一方、図８及び図９は光半導体照明装置の分離過程を示した斜視図で、図１０及び図１１は光半導体照明装置のカバーを分離する過程を説明するための図面である。
【０１１０】
図８及び図９に示したように、照明装置はハウジング２００と該ハウジング２００に装着される複数の発光モジュール１００を含む。
【０１１１】
ハウジング２００は、ボックス型支持フレーム２２０と、該支持フレーム２２０の左右両側に結合された外郭フレーム２１０を含んでいる。
【０１１２】
外郭フレーム２１０は、 支持フレーム２２０と連係して前方部分が塞がっており、上
下は開放されている形態を有する。
【０１１３】
上のような外郭フレーム２１０と支持フレーム２２０の結合構造によって、ハウジング２００は上下が開放され、発光モジュール１００を囲む形状に限定される。
【０１１４】
照明装置は、発光モジュール１００の垂直方向にハウジング２００が開放されており、発光モジュール１００がハウジング２００に上下垂直方向に着脱できる構造を有する。
【０１１５】
これは、発光モジュール１００のうち特定の発光モジュール１００に異常が発生したり作動しなかったりした場合、作業者がカバー２４０だけを分離した後、ハウジング２００から該当発光モジュール１００のみ垂直方向に容易に分離できるようにする。
【０１１６】
発光モジュール１００をハウジング２００から分解する過程について簡単に見てみると、ハウジング２００上部に着脱式で結合されているカバー２４０だけをハウジング２００から分離した後、ハウジング２００内の相互対向する固定プレート２３０間にある該当発光モジュール１００を垂直方向に持ち上げることにより、発光モジュール１００が容易に分離できる。
【０１１７】
逆に、分離後に修理されたり或いは代替されたりした発光モジュール１００を垂直方向にハウジング２００に挿入することにより、該発光モジュール１００をハウジング２００内に容易に装着できる。
【０１１８】
よって、発光モジュール１００を照明装置に設置した後に行われる発光モジュール１００の脱装着のために、ハウジング２００を全体的に分解する必要がない。
【０１１９】
ハウジング２００は、発光モジュール１００のアレイを囲む形状を有する。
【０１２０】
ハウジング２００は、ボックス型支持フレーム２２０の前方側面と支持フレーム２２０の両側に結合された外郭フレーム２１０によって限定された内部空間を横切る一対の対向する固定プレート２３０が、内部空間の前後に配置される。
【０１２１】
そして、固定プレート２３０間に複数の発光モジュール１００が並んで配置される。
【０１２２】
これにより、外郭フレーム２１０は発光モジュール１００を覆う壁の役割をする。
【０１２３】
外郭フレーム２１０は支持フレーム２２０にスライド式に結合され得る。
【０１２４】
支持フレーム２２０は、後方にある固定プレート２３０によって部分的に塞がったボックス形態を有し、以下で説明するように外部電源供給装置と接続したケーブルが支持フレーム２２０の内部を経た後、固定プレート２３０を通過して発光モジュール１００に接続される。
【０１２５】
固定プレート２３０に複数のホール２３１を形成することにより、ハウジング２００内の熱の迅速な排出を図ることができる。
【０１２６】
作業者は、カバー２４０の分離のために図１０に示したような透明に表示した矢印方向に力を加えると、図１１に示したように発光モジュール１００の上側にカバー２４０が容易に分離できる。
【０１２７】
さらに、作業者は前述のようなカバー２４０の分離方法以外にも、特に図示してはいないが、カバー２４０の両側からほぼ同時に力を加えて発光モジュール１００の上側にカバー２４０を分離する等の実施例を適用することもできることは勿論である。
【０１２８】
以上では、発光モジュールが装着されるハウジングの全体構造について説明した。
【０１２９】
以下では、発光モジュールについてより具体的に説明する。
【０１３０】
以下、説明する発光モジュールは、前述の構造のハウジングを有する照明装置によく合いはするが、これと異なる構造を含む照明装置にも有用に利用できるということに留意する。
【０１３１】
図１２は本発明の一実施例にかかる発光モジュールを拡大して示した分解斜視図で、図１３は図１２に示された発光モジュールの結合斜視図で、図１４は図１２及び図１３に示された光学カバーを示した斜視図で、図１５は図１３及び図１４に示された発光モジュールを光学カバーが除去された状態で示した平面図で、図１６は図１５のＩ−Ｉに沿って切断された発光モジュールの断面図であって、光学カバーを結合して併せて示した断面図で、図１７は他の種類の半導体光素子が適用された場合を示した断面図である。
【０１３２】
図１２〜図１７に示したように、発光モジュール１００は放熱部材の機能をするヒートシンク１１０と、ヒートシンク１１０の上側に結合される光学カバー１２０と、ヒートシンク１１０と光学カバー１２０間でヒートシンク１１０の上面に装着される印刷回路基板１４０と、印刷回路基板１４０上に実装された複数の半導体光素子１５０を含む。
【０１３３】
本実施例において、ヒートシンク１１０は上側が開放されており、印刷回路基板１４０が配置された上面より上に延長された上段を有し、光学カバー１２０は上側を覆うようにヒートシンク１１０に結合される。
【０１３４】
上述のとおり、ヒートシンク１１０の上面には前記印刷回路基板１４０が配置されて装着される。
【０１３５】
また、ヒートシンク１１０は下部に複数の放熱フィン１１８を一体に備える。また、ヒートシンク１１０は上面に印刷回路基板１４０が装着される周領域１１１を含み、周領域１１１の内側には長方形を有する非常に長い陥没領域１１２が形成される。
【０１３６】
陥没領域１１２によって周領域１１１は略四角環形を有する。陥没領域１１２と周領域１１１の底面は扁平に提供される。
【０１３７】
以下、詳しく説明するように、陥没領域１１２には半導体光素子１５０又はこれに含まれる光半導体チップ１５２を駆動するために提供された駆動回路基板１６０が装着される。
【０１３８】
印刷回路基板１４０は、熱伝導性の大きい金属を用いたＭＣＰＢ（Ｍｅｔａｌ  Ｃｏｒｅ  ＰＣＢ）であることが好ましい。
【０１３９】
しかし、例えば、一般的なＦＲ４  ＰＣＢでもよい。
【０１４０】
ヒートシンク１１０は、周領域１１１を囲む四角環形の内壁１１３を一体に含む。
【０１４１】
この内壁１１３は、以下にて詳しく説明する透光性光学カバー１２０の挿入型エッジ部１２４に対応するようにヒートシンク１１０の上面から垂直に突出形成される。
【０１４２】
また、内壁１１３は、ヒートシンク１１０の端に沿って形成される。そして、内壁１１３の周囲にはエッジ部１２４に対応する挿入部が形成される。
【０１４３】
一方、内壁１１３と周領域１１１との間の境界に沿って一定の長さの溝が形成されている。
【０１４４】
また、ヒートシンク１１０は内壁１１３の周囲に沿って形成されている外壁１１４を一体に含む。
【０１４５】
内壁１１３の高さと外壁１１４の高さとは各々一定だが、内壁１１３の高さが外壁１１４の高さより大きい場合もある。
【０１４６】
内壁１１３と外壁１１４との間の溝型挿入部には光学カバー１２０との結合時にエッジ部１２４に押されながらヒートシンク１１０と光学カバー１２０との間を密封する四角環形のシール部材１３０が挿入式に設けられる。
【０１４７】
光学カバー１２０は、透光性プラスチック樹脂を射出して作られたものであり、一定配列の複数のレンズ部１２２を一体に有する透光性カバー板１２１を含む。
【０１４８】
また、光学カバー１２０は、カバー板１２１の周縁に沿って形成され下方に延長された四角環形のエッジ部１２４を一体に含む。
【０１４９】
エッジ部１２４は、自体から部分的に切欠されて弾性を有したまま外側に向かっている複数のフック部１２８を一体に備える。
【０１５０】
複数のフック部１２８は、エッジ部１２４に沿って略一定間隔で形成できる。
【０１５１】
この複数のフック部１２８に対応するように前述のヒートシンク１１０の挿入部内外壁内側面には複数の噛合いスリット１１４２が形成されている。
【０１５２】
本実施例では、ヒートシンク１１０に光学カバー１２０を結合する固定手段として前述のようなフック部１２８と噛合いスリット１１４２とが用いられるが、例えば、光学カバーの一側面に形成されている貫通部と、貫通部と対応するようにヒートシンクに形成された締結ホールとを通じて締結される締結部材をヒートシンクと光学カバーの固定手段として用いることも考慮できる。
【０１５３】
光学カバー１２０をヒートシンク１１０に結合する際、光学カバー１２０のエッジ部１２４がシール部材１３０を加圧しながらヒートシンク１１０の内壁１１３と外壁１１４との間の環形挿入部に挿入される。
【０１５４】
このとき、エッジ部１２４のフック部１２４２（図１４に図示）が噛合いスリット１１４２（図１２に図示）に噛み合い、これによって、光学カバー１２０はヒートシンク１１０の上段に固定される。
【０１５５】
挿入壁１２４とシール部材１３０とによって相互作用により、光学カバー１２０とヒートシンク１１０との間の内部空間がより確実に密封維持できる。
【０１５６】
エッジ部１２４を二重壁構造にして、二重壁構造の外側壁面にのみフック部１２８を備え、内側壁によって、密封がより確実にされる。
【０１５７】
このとき、フック部１２８の設置箇所及び設置個数は発光モジュール１００が適用される環境に応じて多様に変形でき、通常、フック部１２８を４５ｍｍの間隔で形成し、光学カバー１２０の長さ方向に従って両側にそれぞれ６個ずつ計１２個のフック部１２８を形成すれば、室外保安灯や街灯の防塵防水等級が要求される事項を満たす。
【０１５８】
ヒートシンク１１０の上面周領域１１１上には印刷回路基板１４０が装着される。印刷回路基板１４０は、周領域１１１内側の陥没領域１１２に相応する部分が省略された形態を有する。
【０１５９】
この形態によって、印刷回路基板１４０は相互並んだ二つの縦方向実装部１４２と該縦方向実装部１４２との一端部を横方向に接続する横方向実装部１４４を含む。
【０１６０】
周領域１１１は、一側領域が縦方向に対向する他側領域より広く形成されており、その広く形成された領域に横方向実装部１４４が位置する。
【０１６１】
前述のとおり、印刷回路基板１４０上には２列の半導体光素子１５０が一定の間隔を有して実装される。
【０１６２】
一つの縦方向実装部１４２上には１列にある６個の半導体光素子１５０が一定の間隔で実装され、もう一つの縦方向実装部１４２上には２列にある６個の半導体光素子１５０が一定の間隔で実装される。
【０１６３】
陥没領域１１２を基準に１列の半導体光素子１５０と２列の半導体光素子１５０とが対称的に配列され、よって、二つの縦方向実装部１４２にある各半導体光素子１５０が向かい合っている。
【０１６４】
半導体光素子１５０各々は、内部に発光ダイオードチップのような光半導体チップを含むため、光半導体チップの配列は半導体光素子１５０の配列に沿う。
【０１６５】
陥没領域１１２の底面には半導体光素子１５０又は光半導体チップを作動させるための回路部品が実装された駆動回路基板１６０が装着される。
【０１６６】
駆動回路基板１６０が相対的に低い陥没領域１１２に位置するため、駆動回路基板１６０及びその上に実装された回路部品が半導体光素子１５０から出た光の進行経路に存在する可能性を大きく減らすことができ、これは光損失を減らすことに大きく寄与する。
【０１６７】
図１６を参照すると、半導体光素子１５０はチップベース１５１とチップベース１５１上に実装された光半導体チップ１５２と、チップベース１５１上に形成されて光半導体チップ１５２を封止する透光性封止材１５３とを含む。
【０１６８】
本実施例において、チップベース１５１は端子パターンが形成されたセラミック基板であり得る。
【０１６９】
しかし、これは一つの実施例であり、リードフレームを有する樹脂材質のリフレクターをチップベースとして利用することもできる。
【０１７０】
ヒートシンク１１０の内壁１１３および外壁１１４、特に、内壁１１３が、半導体光素子１５０が位置するヒートシンク１１０の周領域１１１を囲んでおり、よって、半導体光素子１５０は内壁１１３と隣り合っている。
【０１７１】
半導体光素子１５０から出た光が内壁１１３にぶつかると光損失が大きくなり、光は内壁１１３を経ず、真っ直ぐ光学カバー１２０を通じて外部に放出されることがよい。
【０１７２】
半導体光素子１５０の上段高さを内壁１１３の上段高さより更に高くすることにより、光が内壁１１３にぶつかる量を大きく減らすことができる。
【０１７３】
さらに、光半導体チップ１５２の上段表面を通じて光が最も多く出るため、半導体光素子１５０内の光半導体チップ１５２の上段高さが内壁１１３の高さよりも大きいことがよい。
【０１７４】
本実施例においては、ヒートシンク１１０の外壁１１４の高さが内壁１１３の高さより低いため、外壁１１４の高さはさほど考慮していない。
【０１７５】
詳細な説明及び特許請求の範囲において、半導体光素子の胴体部の上段は、光半導体チップを覆う透光性封止材又は透光性レンズを除いた部分の上段を意味する。
【０１７６】
例えば、透光性封止材が、透光性レンズが設けられたキャビティを有するリフレクターをチップベースとして含む半導体光素子の場合、リフレクターの上段が半導体光素子の胴体上段になる。
【０１７７】
そして、図１６に示すように、セラミック基板のような平らなチップベース１５１上に光半導体チップ１５２が実装された場合であれば、光半導体チップ１５２の上段が半導体光素子の胴体部上段になる。
【０１７８】
封止材とリフレクターの高さが同じ場合があり得るが、この場合、半導体光素子の上段
高さと半導体光素子の胴体部上段の高さが同じものと定義する。
【０１７９】
図１７は、キャビティを備えたリフレクタータイプのチップベース１５１上に光半導体チップが実装された構造の半導体光素子１５０が適用された発光モジュールの一部を示す。
【０１８０】
図１７を参照すると、半導体光素子１５０の胴体部、つまり、チップベース１５１上段下方に光半導体チップ１５２が位置し、チップベース１５１、つまり、半導体光素子の胴体部上段が内壁１１３の上段を超えて位置している。
【０１８１】
このとき、半導体光素子１５０の上段、つまり、透光性封止材１５３の上段も内壁１１３の上段を超えて位置する。
【０１８２】
光学カバー１２０は、大抵、透光性カバー板１２１と、カバー板１２１上に一定配列を有するように形成された複数のレンズ部１２２を含む。
【０１８３】
前述のように、光学カバー１２０は透光性プラスチック樹脂を成形して作られ、その成形時にレンズ部１２２が形成される。
【０１８４】
複数のレンズ部１２２の各々は、カバー板１２１上で半導体光素子１５０各々に対応する位置に形成される。
【０１８５】
図１８〜図２０は、レンズ部の形状が異なる多様な実施形態の光学カバーを説明するための断面図である。
【０１８６】
図１８によく表れているように、光学カバー１２０はカバー板１２１前方面が光出射面になり、カバー板１２１の後方面が、光が入射する面になる。
【０１８７】
レンズ部１２２各々は、カバー板１２１の前方面側に凸部１２２２を含み、カバー板１２１の後方面側に凹部１２２４を含む。
【０１８８】
凸部１２２２と凹部１２２４とは、曲率が相違し得る。
【０１８９】
例えば、凸部１２２２は、上から見ると長軸と短軸が異なる略楕円形の凸部形状を有し得る。
【０１９０】
凸部１２２２は、光の指向パターンを変化させるにおいて最も多い役割をするレンズ形状部である。
【０１９１】
また、凹部１２２４は、例えば半円型又は放物型断面の凹部でもよい。
【０１９２】
凹部１２２４は、光学カバー１２０から入ってくる光の指向パターンを１次的に変化させて凸部１２２２から出す。
【０１９３】
本実施例において、レンズ部１２２は定められた個数の半導体光素子から狭い指向角に出る光を広く拡散させる役割をする。
【０１９４】
凹部１２２４と半導体光素子１５０との間は離隔されている。レンズ部１２２と空気との屈折率の差も光を拡散させるにおいて重要な役割をする。
【０１９５】
図１９は、他の実施形態の光学カバーを示す。図１９を参照すると、レンズ部１２２の凸部１２２２中央領域が凹んで陥没している。
【０１９６】
その陥没している領域もまた、曲面によって限定される。このような形態のレンズ部１２２は中央に放出される光の量を減らす代わりに、外郭に出る光の量を相対的により増やすことができる。
【０１９７】
図２０は、また別の実施形態の光学カバーを示す。
【０１９８】
図２０に示したような光学カバー１２０は、カバー板１２１に光の指向パターンを変化させる凹凸パターン１２１２が形成される。
【０１９９】
凹凸パターン１２１２は、半導体光素子１５０から出てレンズ部１２２を通過できず印刷回路基板１４０上の反射面に反射された光の指向パターンを変化させる役割をし得る。
【０２００】
本実施例においては、カバー板１２１の後方面に凹凸パターン１２１２を形成しているが、カバー板１２１の前方面に凹凸パターンを形成することも考慮できる。
【０２０１】
多様な他の実施形態として、光学カバー１２０は輝度及び光の照射面積の増減のために光拡散物質あるいは光拡散フィルムを含むことができる。
【０２０２】
ここで、光拡散物質としては、ＰＭＭＡ又はシリコン等のような有機粒子ビーズ（ｂｅａｄ）を含むものを使用できる。
【０２０３】
半導体光素子と光学カバー間に配置されて半導体光素子から照射される光を乱反射させる別途のプレートをさらに装着することも考慮できる。
【０２０４】
発光モジュールは、半導体光素子１５０内の光半導体チップ１５２から出た光を波長変換させるための波長変換部をさらに含むことができるが、波長変換部は、例えば、コンフォーマルコーティング方式で光半導体チップ１５２上に直接形成したり、或いは半導体光素子１５０を封止する封止材が波長変換部を含むようにしたりすることがよい。
【０２０５】
光学カバー１２０に波長変換部を置く場合は、その波長変換部がカバー板１２１とレンズ部１２２とを覆うようにすることがよい。
【０２０６】
上では、チップベース１５１とチップベース１５１上に実装された光半導体チップ１５２と、チップベース１５１上に形成されて光半導体チップ１５２を封止する透光性封止材１５３を含む半導体光素子１５０とが印刷回路基板１１０上に実装されていることについて主に説明している。
【０２０７】
しかし、印刷回路基板１４０上に光半導体チップが直接実装されている構造を含むＣＯＢ（Ｃｈｉｐ  Ｏｎ  Ｂｏａｒｄ）タイプの発光モジュールも考慮できるが、この場合、透光性を有する封止材が印刷回路基板１４０上に直接形成されて、光半導体チップを全体的に又は個別的に覆うことができる。
【０２０８】
この場合、印刷回路基板上に直接配置された光半導体チップと、その上に形成された透光性封止材とが一つの半導体光素子であると定義する。
【０２０９】
一つの透光性封止材が印刷回路基板上の全ての光半導体チップを覆う場合にも、本明細書では、印刷回路基板上に複数の半導体光素子が配置されているとみなす。
【０２１０】
このときにも、半導体光素子の上段は封止材の上段と同じで、半導体光素子の胴体部上段は光半導体チップの上段と同じと見なす。
【０２１１】
本発明の技術的思想は、前述の実施例の照明装置に適用可能な発光モジュールは勿論、それ以外の多様な照明装置の発光モジュールにも及ぶ。
【０２１２】
図２１は、チューブタイプ又は蛍光灯型照明装置に適用された発光モジュールを説明するための断面図であり、図２２は工場灯型照明装置に適用された発光モジュールを説明するための断面図である。
【０２１３】
図２１を参照すると、本実施例にかかる発光モジュール１００’は、放熱部材としてのヒートシンク１１０’と、ヒートシンク１１０’の平らな上面に配置された印刷回路基板１４０’と、印刷回路基板１４０’に複数の半導体光素子１５０'（一つのみ図示)を含む。
【０２１４】
ヒートシンク１１０’は下部円弧状の周囲に複数の放熱フィン１１８’を一体に備えている。
【０２１５】
ヒートシンク１１０’は、印刷回路基板１４０’が装着される上面から突出された内壁１１３’によって上面より高い位置に上段を有する。
【０２１６】
また、発光モジュール１００’はヒートシンク１１０’に結合される半円形断面の透光性光学カバー１２０’をさらに含み、該透光性光学カバー１２０’は、ヒートシンク１１０’の上段部までもカバーする。
【０２１７】
前述のとおり、ヒートシンク１１０’は自体の上面から突出された内壁１１３’を透光性光学カバー１２０’のエッジ部１２４’と対応する部分に備える。
【０２１８】
このとき、複数の半導体光素子１５０’の上段が内壁１１３’の上段より高く位置する。
【０２１９】
さらに、半導体光素子１５０’の胴体部が内壁１１３’の上段より高く位置することが好ましい。
【０２２０】
ヒートシンク１１０’は上面左右端に沿って内壁１１３’が形成され、内壁１１３’の周囲に透光性光学カバー１２０のエッジ部１２４’に対応する挿入部１１５’が形成される。
【０２２１】
透光性光学カバー１２０は、エッジ部１２４’が挿入部１１５’にスライド式で挿入されることによってヒートシンク１２０’に固定される。
【０２２２】
図示してはいないが、透光性光学カバー１２０’の少なくとも一面に凹凸パターンが形成できる。
【０２２３】
図２２を参照すると、本実施例による発光モジュール１００”は、放熱部材１１０”と、放熱部材１１０”の平らな上面に配置された印刷回路基板１４０”と、印刷回路基板１４０”上に実装された複数の半導体光素子１５０”とを含む。
【０２２４】
放熱部材１１０”は、下部面に複数のヒートパイプ１１９”を備えている。
【０２２５】
また、放熱部材１１０”は、ヒートパイプ１１９”と協働して放熱機能を行う多数の板型放熱フィン１１８”をヒートパイプ１１９”下部に備える。
【０２２６】
放熱部材１１０”は、印刷回路基板１４０”が装着される上面から突出した内壁１１３”によって上面より高い位置に上段を有する。
【０２２７】
また、発光モジュール１００”は、ヒートシンク１１０”に結合される透光性光学カバー１２０”をさらに含み、該透光性光学カバー１２０”はヒートシンク１１０”の上段部までもカバーする。
【０２２８】
半導体光素子１５０”の上段を内壁１１３”の上段より高く設計することもできる。
【０２２９】
光学カバー１２０”は、エッジ部１２４”を備え、該エッジ部１２４”は前記内壁１１３”周囲に提供されている挿入部に嵌めて固定される。
【０２３０】
光学カバー１２０”は、半導体光素子１５０”に対応するようにレンズ部１２２”を備える。
【０２３１】
一方、図２３は本発明の他の実施例にかかる発光モジュールを示した斜視図で、図２４は図２３に示された発光モジュールの分解斜視図で、図２５は図２３及び図２４に示された発光モジュールの底面図で、図２６は図２３のＩ−Ｉに沿って切断された発光モジュールの断面図である。
【０２３２】
図２３〜図２６に示したように、本発明の他の実施例にかかる発光モジュール１００は、熱伝導性が良い金属材料で形成されたヒートシンク１１０と、ヒートシンク１１０の上段に結合される光学カバー１２０と、ヒートシンク１１０と光学カバー１２０との間でヒートシンク１１０の上面に装着される印刷回路基板１４０と、印刷回路基板１４０上に実装された複数の半導体光素子１５０とを含む。
【０２３３】
ヒートシンク１１０は、幅と長さを有する放熱ベース１１９と、放熱ベース１１９の底面に形成された複数の放熱フィン１１８とを含む。
【０２３４】
複数の放熱フィン１１８は、放熱ベース１１９の長さ方向に沿って約一定の間隔で配列される。
【０２３５】
また、放熱フィン１１８各々は、放熱ベース１１９の幅に対応する長さを有する略四角の板形状を有し、放熱ベース１１９の幅方向両側端を横切るように形成される。
【０２３６】
ヒートシンク１１０は、放熱ベース１１９の上部を通じて放熱フィン１１８を外部に露出させる貫通型の空気流動ホール１１２４を含む。
【０２３７】
空気流動ホール１１２４は、放熱ベース１１９の中央に放熱ベース１１９の長さ方向に沿って長く形成される。
【０２３８】
空気流動ホール１１２４を通じて、複数の放熱フィン１１８各々の上段がヒートシンク１１０の上側外部に露出される。
【０２３９】
本実施例では、ヒートシンク１１０の長さ方向両端付近の幾つかの放熱フィンは、空気流動ホール１１２４の領域外側に存在するため、空気流動ホール１１２４を通じて外部に
露出されない。
【０２４０】
空気流動ホール１１２４に亘っている全ての放熱フィン１１８は、上向延長部１１４２を一体に含む。
【０２４１】
放熱フィン１１８の上向延長部１１４２は、空気流動ホール１１２４を通じて放熱ベース１１９の上面を超えて突出されている。
【０２４２】
放熱フィン１１８及びそれに属する上向延長部１１４２が、空気流動ホール１１２４を複数個のセル（ｃｅｌｌ）型孔で区画する。
【０２４３】
空気は、セル型孔を通過しながら各放熱フィン１１８を冷却させることができる。
【０２４４】
空気流動ホール１１２４の周辺であり放熱ベース１１９の上面には、非常に長いリング形態の搭載領域が提供される。
【０２４５】
また、非常に長い突出隔壁１１２３が空気流動ホール１１２４に沿って形成され、空気流動ホール１１２４を内側に限定する。
【０２４６】
突出隔壁１１２３は、空気流動ホール１１２４と搭載領域との間で搭載領域を空気流動ホール１１２４から分離区画する。
【０２４７】
このとき、上向延長部１１４２の各々は、両側端で突出隔壁１１２３と接続される。
【０２４８】
搭載領域は、放熱ベース１１９の幅両側に対向するように位置する一対の長さ方向領域１１２２ａを含む。
【０２４９】
一対の長さ方向領域１１２２ａ間に空気流動ホール１１２４及びその周辺に立てられて形成された突出隔壁１１２３が位置する。
【０２５０】
また、搭載領域は一対の幅方向領域１１２２ｂを含み、この一対の幅方向領域１１２２ｂは空気流動ホール１１２４の両端部側で一対の長さ方向領域の両端部を接続するように提供される。
【０２５１】
また、搭載領域の端に沿って突出段１１２５が形成される。
【０２５２】
放熱ベース１１９の搭載領域上には、印刷回路基板１４０が搭載される。本実施例では、非常に長いバー型を有する２個の印刷回路基板１４０各々が、一対の長さ方向領域１１２２ａ各々に搭載される。
【０２５３】
印刷回路基板１４０上には、複数の半導体光素子１５０が実装されている。
【０２５４】
複数の半導体光素子１５０は、印刷回路基板１４０の長さ方向に沿って一定間隔で配列される。
【０２５５】
印刷回路基板１４０は、熱伝導性の良い金属を用いたＭＣＰＢ（Ｍｅｔａｌ  Ｃｏｒｅ
ＰＣＢ）であることが好ましいが、例えば、一般的なＦＲ４  ＰＣＢでもよい。
【０２５６】
複数の半導体光素子１５０は、ＬＥＤであることが好ましい。ＬＥＤは、ＬＥＤチップをパッケージ構造内部に含むＬＥＤパッケージでもよく、代案として、チップオンボード
（ｃｈｉｐ  ｏｎ  ｂｏａｒｄ）方式で印刷回路基板１４０上に直接実装されるＬＥＤチップでもよい。
【０２５７】
また、ＬＥＤ以外の他の種類の半導体光素子が利用されてもよい。
【０２５８】
光学カバー１２０は、ヒートシンク１１０の上段端に沿って形成された突出段１１２５に結合される。
【０２５９】
本実施例では、光学カバー１２０をヒートシンク１１０に結合する際にボルトのようなファスナー（ｆ）が用いられる。
【０２６０】
ヒートシンク１１０と光学カバー１２０との各々は、ファスナー(ｆ)との締結のための締結溝及びホール１２０１、１１０１を備えている。
【０２６１】
光学カバー１２０は、空気流動ホール１１２４を露出させる開口部１２１２を備える。
【０２６２】
開口部１２１２は、空気流動ホール１１２４に相応する形状及び大きさで光学カバー１２０の中央に光学カバー１２０の長さ方向に沿って長く形成されている。
【０２６３】
開口部１２１２によって、空気流動ホール１１２４及びその内側にある放熱フィン１１８及びそれに属する上向延長部１１４２が光学カバー１２０外側の空気中に露出され得る。
【０２６４】
光学カバー１２０は、例えば、透光性プラスチック樹脂を射出成形して作ることができる。
【０２６５】
さらに、空気流動ホール１１２４を囲む突出隔壁１１２３が開口部１２１２に挿入され得る。
【０２６６】
このとき、開口部１２１２の内側面と突出隔壁１１２３の外部面間との隙間を塞ぐことにより、印刷回路基板１４０と半導体光素子１５０とが存在する光学カバー１２０内側領域内への水分又は異物の浸透を遮断することがよい。
【０２６７】
隙間を塞ぐための方法として、開口部１２１２に突出隔壁１１２３がぴったり合うように嵌めるようにすることを考慮でき、代案として、開口部１２１２と突出隔壁１１２３との間にシールを設けることを考慮できる。
【０２６８】
図２６によく表されているように、ヒートシンク１１０に備えられた空気流動ホール１１２４と、光学カバー１２０に備えられた開口部１２１２を通じて、自然送風又は強制送風される空気が矢印で表示されたように発光モジュール１００の上下を貫通する方向に流れ得る。
【０２６９】
また、空気流動ホール１１２４と開口部１２１２とに確保された上下方向の空気流動経路が、ヒートシンク１１０の中央領域に長さ方向に沿って亘っているため、従来にヒートシンク１１０の中央領域で引き起こされていた熱遅滞現象を大幅に減らすことができる。
【０２７０】
また、放熱フィン１１８が空気流動ホール１１２４を通じてヒートシンク１１０の上部にさらに拡張され、上向延長部１１４２を形成するため、発光モジュール１００の大きさの増加がなくても既存に比べて放熱フィン１１８の表面積が増えて放熱特性がさらに向上される。
【０２７１】
図２７は、複数の発光モジュール間を電気接続する構造を説明するための図面である。
【０２７２】
図２７を参照すると、２個の発光モジュール１００が見られる。２個の発光モジュール１００は、長い側面同士向かい合うように配置され、街灯、保安灯、又は工場灯のような照明装置内に設置される。
【０２７３】
また、発光モジュール１００は、ヒートシンク１１０の放熱ベース１１９の第１の側面１１０ａにオスコネクタ１７０ａを含み、第１の側面１１０ａに対向する第２の側面１１０ｂにはメスコネクタ１７０ｂを含む。
【０２７４】
２個の発光モジュール１００を長い側面同士向かい合うように近接させると、一つの発光モジュール１００に備えられたオスコネクタ１７０ａが他の発光モジュール１００に備えられたメスコネクタ１７０ｂに挿入されて接続される。
【０２７５】
これにより、一つの発光モジュール１００と他の発光モジュール１００とは、電気的に接続される。
【０２７６】
一つの発光モジュール１００を、それと隣り合う他の発光モジュール１００から遠く離隔させて、オスコネクタ１７０ａをメスコネクタ１７０ｂから分離すると、二つの発光モジュール１００間の電気的接続は解除される。
【０２７７】
図示及び説明の便宜のために、２個の発光モジュールを図面に示し明細書で説明しているが、３個又はそれ以上の発光モジュールを一つの照明装置で利用する際にも、オスコネクタ１７０ａとメスコネクタ１７０ｂとの接続によって、連続的に隣り合う３個以上の発光モジュールを電気的に接続させることができる。
【０２７８】
上の構成を用いると、照明装置の電源供給装置（未図示）からの主電力線から複数の発光モジュールに電力を供給するために必要だった複雑な配線等、別途の部品の省略が可能で、隣り合う発光モジュール１００のオスコネクタ１７０ａとメスコネクタ１７０ｂとに接続させる簡単な作業だけで発光モジュール１００間の配線を接続する複雑な工程を代替できる。
【０２７９】
図２８は、本発明の他の実施例にかかる発光モジュールを説明するための分解斜視図である。
【０２８０】
図２８に示したように、本実施例にかかる発光モジュール１００は、前述の実施例と異なり、二つの縦方向実装部１４２と、その縦方向実装部１４２の一端部を縦方向に接続する横方向実装部１４４とを含む一つの印刷回路基板１４０を用いる。
【０２８１】
印刷回路基板１４０を放熱ベース１１９上の搭載領域に搭載する際、二つの縦方向実装部１４２は、一対の長さ方向領域１１２２ａ上に長く置き、一つの横方向実装部１４４は一対の幅方向領域１１２２ｂのいずれかの幅方向領域１１２２ｂ上に置く。
【０２８２】
代案として、二つの縦方向実装部と二つの横方向実装部からなる四角リング型の印刷回路基板を用いることもでき、この場合、印刷回路基板の二つの横方向実装部の各々は、放熱ベース１１９の搭載領域に提供される一対の幅方向領域１１２２ｂに置かれる。
【０２８３】
また、図示したように、搭載領域を段形態に一定の高さ突出させて構成することができる。
【０２８４】
また、本実施例にかかる発光モジュール１００は、放熱ベース１１９の上段枠の突出段１１２５に挿入溝１１２５ａを含む。
【０２８５】
挿入溝１１２５ａには、四角リング型のシール１３０が挿入設置される。
【０２８６】
また、光学カバー１２０は、透光性プラスチック樹脂を射出成形して作られたものであり、一定配列の複数のレンズ部１２２を一体に有する透光性カバー板１２１と、カバー板１２１の周縁に沿って形成され、下方に延長した四角環形の挿入部１２４を一体に含む。
【０２８７】
挿入部１２４は自体から部分的に切欠されて弾性を有したまま外側に向かっている複数のフック部１２４２を一体に備える。
【０２８８】
複数のフック部１２４２は、挿入部１２４に沿って約一定間隔で形成できる。
【０２８９】
この複数のフック部１２４２に対応するように、前述のヒートシンク１１０の挿入溝１１２５ａ内側面には複数の噛合いスリット１１２７が形成されている。
【０２９０】
光学カバー１２０をヒートシンク１１０の上段に結合する際、光学カバー１２０の挿入部１２４がシール部材１３０を加圧しながら挿入溝１１２５ａ内に挿入される。
【０２９１】
このとき、光学カバー１２０のフック部１２４２がヒートシンク１１０の噛合いスリット１１２７に噛み合いながら、これにより、光学カバー１２０はヒートシンク１１０の上段に固定される。
【０２９２】
挿入部１２４とシール部材１３０との間の相互作用によって、光学カバー１２０とヒートシンク１１０との間の内部空間がより確実に密封され得る。
【０２９３】
また、本実施例にかかる発光モジュールは、フック部１２４２と噛合いスリット１１２７とを用いた光学カバー１２０の固定構造によって前述の実施例で説明したようなファスナーｆ（図２３及び２４参照）は省略できる。
【０２９４】
また、光学カバー１２０は、ヒートシンク１１０に結合される際、空気流動ホール１１２４及び放熱フィンを露出させるために、開口部１２１２を含む。
【０２９５】
また、光学カバー１２０は開口部１２１２の周囲に沿って形成され、下方に延長された内部壁１２１４をさらに含むことができる。
【０２９６】
本  実施例では、空気流動ホール１１２４の上段には放熱フィン１１８がない領域が存在するが、光学カバー１２０の内部壁１２１４が空気流動ホール１１２４の上部に挿入できる。
【０２９７】
図２９及び図３０は、本発明の一実施例にかかる光半導体照明装置の外観を示した斜視図である。
【０２９８】
本発明は、図示したように、発光モジュール１００に形成されているヒートシンク１１０の両端部にそれぞれサービスユニット３００が配置された構造であることが把握できる。
【０２９９】
発光モジュール１００は、少なくとも一つ以上の半導体光素子１５０を含むものであり
、電源が入力されて駆動される光源としての役割を行うためのものである。
【０３００】
ヒートシンク１１０は、発光モジュール１００に形成されるものであり、発光モジュール１００から発生される熱を排出させ、冷却させるためのものである。
【０３０１】
サービスユニット３００は、ヒートシンク１１０の両端部にそれぞれ配置されて発光モジュール１００と電気的に接続されるものであり、発光モジュール１００に電源を供給したり、隣接した発光モジュール１００との相互の接続等を図るための用途として活用されたりするものである。
【０３０２】
本発明は、前記のような実施例の適用が可能で、次のような多様な実施例の適用もまた可能であることは勿論である。
【０３０３】
参考までに、図３１は、図２９の光半導体照明装置をＢ方向に見た概念図であり、図３２及び図３３は本発明の多様な実施例にかかる光半導体照明装置の外観を示した斜視図であり、図３４は図３３の光半導体照明装置をＣ方向に見た概念図であり、図３５は本発明のその他の実施例にかかる光半導体照明装置の主要部であるサービスユニットを図示した部分斜視図である。
【０３０４】
発光モジュール１００は、前述のように、光源としての役割を行うためのものであり、図３１を参考にすると、半導体光素子１５０が配置される印刷回路基板１４０と、半導体光素子１５０に対応するようにレンズ１２２が形成された光学カバー１２０を含む構造であることが分かる。
【０３０５】
そして、ヒートシンク１１０は前述のように電熱面積を広げて放熱及び冷却効果を図るためのものであり、発光モジュール１００の長さ方向に沿って並列配置される複数の放熱フィン１１８と、ヒートシンクの一側に備えられ放熱フィン１１８各々の一側を相互に接続し、発光モジュール１００が形成される放熱ベース１１９を含む実施例を適用できる。
【０３０６】
具体的に見てみると、ヒートシンク１１０は、放熱フィン１１８と隣接した放熱フィン１１８との間の空間に放熱ベース１１９を基準に折り曲げられたエアー流通路Ｐ１が形成されることが好ましい。
【０３０７】
ここで、エアー流通路Ｐ１は、放熱フィン１１８各々の一側において放熱ベース１１９の一側付近に位置する入口Ｐ１１から、放熱ベース１１９が配置された放熱フィン１１８の端２３１（以下「第１の端２３１」）と向かい合う端２３２（以下「第２の端２３２」）の端部に備えられる出口Ｐ１２まで繋がる流路と言える。
【０３０８】
つまり、放熱フィン１１８と隣接した放熱フィン１１８ｔの間の空間でそれぞれ形成される構造であることが図２９及び図３０を参考しても分かる。
【０３０９】
ここで、ヒートシンク１１０は、入口Ｐ１１から流れ込んだエアーが出口Ｐ１２を通じてスムーズに排出できるように、第１の端２３１と向かい合う第２の端２３２は一側から他側に傾斜するように形成されることが好ましい。
【０３１０】
このために、放熱ベース１１９は放熱フィン１１８それぞれの端一側に片寄って配置されるようにすると、このようなエアー流通路Ｐ１の形成が可能になる。
【０３１１】
また、ヒートシンク１１０は、入口Ｐ１１から出口Ｐ１２まで強制的にエアー排出を誘導するために第２の端２３２から続く端（以下「第３の端２３３」）まで複数の放熱フィ
ン１１８を覆うエアーバッフル２６０（Ａｉｒ  ｂａｆｆｌｅ）をさらに備えることが好ましい。
【０３１２】
一方、ヒートシンク１１０は図３２のように放熱ベース１１９の一側端から延長され、放熱ベース１１９と放熱フィン１１８との接続部から離隔されたリップ２２２と、リップ２２２の長さ方向に沿って貫通するエアースロット２２１とを含む実施例の適用もまた可能である。
【０３１３】
エアースロット２２１は、エアー流通路として入口の役割をすることもでき、エアースロット２２１が形成されたリップ２２２は、放熱ベース１１９から延長されることによって設置される環境及び位置に沿ってヒートシンク１１０及びサービスユニット３００の荷重を効果的に分散支持する役割もまた行うことができる。
【０３１４】
また、ヒートシンク１１０は、図３３及び図３４のように構造的強度、つまり捻れ応力に耐久性を有することができるように第２の端２３２から延長されて複数の放熱フィン１１８全部を相互に接続する補強リブ２５０を更に備えることが好ましい。
【０３１５】
一方、サービスユニット３００は前述のように発光モジュール１００に電源を供給したり隣接した発光モジュール１００との相互接続等を図ったりするためのものであり、図２９を参考すると、ヒートシンク１１０両端部にそれぞれ配置されるユニット本体３１０と、ユニット本体３１０に形成されるコネクタ３２０とを含む実施例を適用できる。
【０３１６】
つまり、コネクタ３２０は、隣接する別途の発光モジュール１００に備えられたサービスユニット３００との機械的結合を通じて電気的接続を図ることができるものである。
【０３１７】
また、サービスユニット３００は図３５のようにユニット本体３１０に駆動印刷回路基板３３０又は充放電回路を内蔵した充放電器３４０を含む実施例を適用できる。
【０３１８】
よって、駆動印刷回路基板３３０を通じて発光モジュール１００の駆動が可能なことは勿論、充放電器３４０を利用すると、別途の電源供給が一時的に不可能な状況において非常電源を発光モジュール１００に供給する等の動作が可能になる。
【０３１９】
以上のように、本発明は点検及び補修の便宜を図り、分離及び締結が簡便なのは勿論、防水性及び耐久性に優れ、レンズが統合された光学カバーを利用して光の損失あるいは暗い領域の発生を最小化し、広く均一な照明光を提供でき、水密等の目的でヒートシンクから突出された突出物が半導体光素子、さらには光半導体チップから出た光を吸収して生じ得る光損失を最小化でき、ヒートシンクを上下に貫通する方向に空気流動路をさらに確保して放熱特性をより向上させ、複数個の発光モジュールを含む照明装置で発光モジュール間の容易且つ信頼性のある電気接続構造を提供することは勿論、放熱面積を増やして放熱効率をより向上させ、自然対流による冷却効率もまた向上させることができるようにする光半導体照明装置を提供することを基本的な技術的思想としていることが分かる。
【０３２０】
そして、本発明の基本的な技術的思想の範疇内で当該業界の通常の知識を有する者においては、本発明にかかる光半導体照明装置の主要部である発光モジュールを含む装置全体を、室内照明は勿論、街灯や保安灯、及び工場灯等の多様な分野に適用できる等、異なる多くの変形及び応用もまた可能なことは勿論である。
【符号の説明】
【０３２１】
１００：発光モジュール、２００：ハウジング、３００：サービスユニット
【図１】
0005211257.tif 000002
【図２】
0005211257.tif 000003
【図３】
0005211257.tif 000004
【図４】
0005211257.tif 000005
【図５】
0005211257.tif 000006
【図６】
0005211257.tif 000007
【図７】
0005211257.tif 000008
【図８】
0005211257.tif 000009
【図９】
0005211257.tif 000010
【図１０】
0005211257.tif 000011
【図１１】
0005211257.tif 000012
【図１２】
0005211257.tif 000013
【図１３】
0005211257.tif 000014
【図１４】
0005211257.tif 000015
【図１５】
0005211257.tif 000016
【図１６】
0005211257.tif 000017
【図１７】
0005211257.tif 000018
【図１８】
0005211257.tif 000019
【図１９】
0005211257.tif 000020
【図２０】
0005211257.tif 000021
【図２１】
0005211257.tif 000022
【図２２】
0005211257.tif 000023
【図２３】
0005211257.tif 000024
【図２４】
0005211257.tif 000025
【図２５】
0005211257.tif 000026
【図２６】
0005211257.tif 000027
【図２７】
0005211257.tif 000028
【図２８】
0005211257.tif 000029
【図２９】
0005211257.tif 000030
【図３０】
0005211257.tif 000031
【図３１】
0005211257.tif 000032
【図３２】
0005211257.tif 000033
【図３３】
0005211257.tif 000034
【図３４】
0005211257.tif 000035
【図３５】
0005211257.tif 000036